(57)【要約】【課題】  本発明は、壁と幅木との間に隙間を覆い、シーラントによる施工をする必要がない幅木を提供する。【解決手段】  床基盤上に防音材を介して床材を載設した防音床において、壁面と床面との境界部に設置する幅木であって、壁面に付設して設けた幅木上部に壁面と幅木の間に生じる隙間を覆うための、壁面と当接する軟質部材を備えたことを特徴とする幅木およびその幅木を用いてなることを特徴とする防音二重床または防音直貼り床。【選択図】  図１
2006083587.tif 000002
【特許請求の範囲】
【請求項１】
床基盤上に防音材を介して床材を載設した防音床において、壁面と床面との境界部に設置する幅木であって、壁面に付設して設けた幅木上部に壁面と幅木の間に生じる隙間を覆うための、壁面と当接する軟質部材を備えたことを特徴とする幅木。
【請求項２】
請求項１に記載した幅木を用いてなることを特徴とする防音二重床または防音直貼り床。
【発明の詳細な説明】
【技術分野】
【０００１】
本発明は、床基盤上に防音材を介して床材を載設した防音床の壁面と床面との境界部において、隙間の目隠しとして、隙間を覆うために用いる幅木およびそれを用いた防音床に関する。
【背景技術】
【０００２】
近年、コンクリート製の床基盤を有する住宅等において、防音のために、床基盤上に防音材を介して、床材を載設した防音床の普及が進んでいる。
【０００３】
防音床には、防音二重床、防音直貼り床がある。防音二重床は床基盤上に支持脚を介して床板材を載設した構造であり、支持脚に弾性体を配して振動吸収機能を持たせ防音材としている、またはゴムシート等の弾性体からなる防音材を床板材と積層している。一方、防音直貼り床は、床基板上に支持脚を介せず直に床板材を載設した構造であり、ゴムシート等の弾性体からなる防音材を床板材と積層させている。
【０００４】
通常、防音二重床または防音直貼り床等の防音床を施工する際に、外観上、隙間が生じないように、防音床は床面と壁面との境界部隙間の目隠しのために、床面外周上部と対する壁面下部に、幅木下部を床面と当接させるように床面と壁面との境界部に幅木を設置することが行われる。
【０００５】
床基盤の上に防音材を介して床板材を敷設した二重床構造とした際に、床面と壁面との隙間の目隠しに用いる幅木に関して、幅木が常に床面と接触を保つように床面変位に追従し床面に当接する機能を有するとともに、壁に伝わる床面震動を低減するために幅木下部に軟質部材を備えた幅木が、特許文献１または特許文献２にて知られている。
【０００６】
例えば、特許文献１においては、幅木の表側下端縁から裏側に傾斜するように垂下するとともに表側に膨らむように湾曲した軟質材からなるヒレを用い、震動伝達を抑制している。また、特許文献２においては、幅木本体部と床当接部からなり、壁に固着される幅木本体部と壁に固着されない床当接部が連結され、床当接部の高さ方向の全部又は一部が弾力性容易変形材からなり、弾力性容易変形材によって床と壁を絶縁状態に維持することで震動伝達を抑制している。
【特許文献１】実公平７−５２８６９号公報
【特許文献２】特開２００３−１９３５８９号公報
【発明の開示】
【発明が解決しようとする課題】
【０００７】
幅木は長尺状であるため、幅木を設置する壁が平坦でなく壁に僅かの反り、段差があると、壁面と幅木の間に隙間が発生するという問題があった。このことは、石膏ボードを壁材として用いた場合、厳密には平坦に施工し難いコンクリート壁に壁紙を直接貼った場合、経時により吸湿または乾燥し反りが発生する木材等を壁材として用いた場合に起こりうる。
【０００８】
特に、石膏ボードを壁材として用いた場合は、コンクリート製の壁基盤に複数のアタッチメントを介して点接触で固定し壁とすることが多く、撓んだ状態で固定される、石膏ボードの継目で段差が生じた状態で固定される、継目が平行でない状態で固定されることにより、壁面と幅木の間に隙間が発生し易い。石膏ボードによる壁面と幅木の間に隙間が生じた場合、通常、隙間をシーラントを充填することで塞いでおり、無駄な施工をしなければならないという問題があった。
【０００９】
本発明は、壁と幅木との間の隙間を覆い、シーラントによる施工をする必要がない幅木を提供することを目的とする。
【課題を解決するための手段】
【００１０】
本発明の幅木は、幅木上部に壁面と当接する軟質部材を備えてなり、施工時または施工後に壁面に反りまたは段差を生じ、壁と幅木との間に隙間が生じたとしても、該軟質部材が隙間を覆うものである。
【００１１】
即ち、本発明は、床基盤上に防音材を介して床材を載設した防音床において、壁面と床面との境界部に設置する幅木であって、壁面に付設して設けた幅木上部に壁面と幅木の間に生じる隙間を覆うための、壁面と当接する軟質部材を備えたことを特徴とする幅木である。
【００１２】
更に、本発明は、上記の幅木を用いてなることを特徴とする防音二重床または防音直貼り床である。
【発明の効果】
【００１３】
本発明の幅木は、幅木上部に壁面と当接する軟質部材を備えてなり、施工時に、または施工後に壁に反りまたは段差が生じ壁と幅木との間に隙間または段差が生じたとしても、軟質部材が隙間を覆うので、隙間を塞ぐために隙間にシーラント等を充填する等の施工をする必要がない。
【発明を実施するための最良の形態】
【００１４】
最初に、床、壁および幅木の位置関係を説明する。図３は、本発明の実施形態の１例を示す床、壁および幅木の位置関係を示した側面図である。防音二重床の構造を、図３を用いて説明する。図３に示すように、防音二重床においてはコンクリート等の床基盤３に支持脚４を介して、床板材５を裁設する。床基盤３に裁設して床板材５を敷設する際に、床板材５の壁際端部６と壁面７との間に隙間８を設け、該隙間８を覆うように、壁面７に沿って長尺状の幅木９を付設し、幅木９を壁面７と床面１０の境界部に設置する。幅木９の下部には床面１０と壁面７の隙間８を封止するとともに、変位に追従し床面１０に当接するための軟質部材１１を備えている。
【００１５】
図１は、本発明の実施形態の１例を示す幅木周辺の部分拡大図である。
【００１６】
本発明の幅木９は、図１に示すように、施工時または施工後に壁に反りが生じ壁面７と幅木９との間に隙間２が生じたとしても、隙間２を覆うように、幅木９の本体部１２は上部に壁面７と当接する軟質部材１を備える。図１に示すように、軟質部材１は隙間２を覆い易いように、幅木９の片側から隙間２の外側に向けて斜めに立ち上げた舌片状であることが好ましい。
【００１７】
また、本発明の幅木９の本体部１２は、壁面７に接着する等の固着手段で壁に付設し、床板材５の変位に追従し床面１０と壁面７との隙間８を覆い、振動を吸収し伝えないための軟質部材１１を下部に備えることが好ましい。
【００１８】
幅木９の上部の軟質部材１および下部の軟質部材１１の形状は、図1に示す舌片状であれば、隙間を覆うように壁面７または床面８の形状または位置変化に追従しつつ、壁面７または床面８に押すように当接する。
【００１９】
図１に示すように、幅木９の側面を対称形となるようにした形状の軟質部材１および軟質部材１１を幅木本体部１２に備えれば、施工時に幅木本体部１２のどちらの面を壁面７に接着等の手段で固着してもよく、施工が面倒になることもなく、施工の失敗もない。幅木９の側面が対称形とはならないが、幅木９下部の軟質部材１１を、舌片状より振動吸収性に優れる中空のＵ字状にすることも考えられる。
【００２０】
壁面７と幅木９との間に隙間２が生じたとしても、隙間２を覆うように壁面７と当接する軟質部材１を幅木１２の上部に備え、壁面７と床板材５の変位に追従し、床面１０と壁面７との隙間８を覆い、振動を吸収し伝えないための軟質部材１１を幅木１２の下部に備えることで、施工した際に一気に隙間２および隙間８が覆われる。
【００２１】
本発明における幅木９の本体部１２の材料としては、壁面７に合わせた外観とすることが好ましく、ＡＢＳ、即ち、アクリル−ブタジエンースチレン樹脂、硬質塩化ビニル樹脂等の合成樹脂、または、合板、ＬＶＬ、即ち、単板積層材等の木質材料、および、これらの混合材料等が挙げられる。幅木９の上部の軟質部材１および下部の軟質部材１１の材料は、弾性を有する樹脂を用いることが好ましく、軟質塩ビ樹脂、ウレタン樹脂、各種ゴム等が挙げられる。
【００２２】
本発明の幅木９の本体部１２その上部の軟質部材１、または本発明の幅木９の本体部１２その下部の軟質部材１１の接合方法には、別々に作製したものを単に嵌合状に嵌め込んで固定する方法、または接着固定する方法等が挙げられる。また、本発明の幅木６の本体部１２が、ＡＢＳ、硬質塩ビ樹脂であり、軟質部材１または軟質部材１１が軟質塩ビ樹脂である等、共押出し可能な材料であれば、共押出し成型により幅木の本体部１２と軟質部材１と軟質部１１とが同時に成型される。
【実施例】
【００２３】
実施例１
床基盤３上に、図３に示す構造の防音二重床を作製した。床板材５には木質化粧板１３とパーティクルボード１４とを積層したものを使用した。床板材５の総厚みは３２ｍｍである。支持脚４において、脚部１５は合成樹脂で形成し、支持脚４の床板材５に対する接触部には、ネオプレンゴムからなる防振ゴム１６を防音材として振動の吸収遮蔽のために挟んだ。支持脚２の全長、即ち、高さは６０ｍｍである。また、壁材には石膏ボードを使用し幅木本体１２が接着する部位を残して、壁紙を接着し貼り付けた物を使用した。
【００２４】
次いで、図１示すように、床板材５の壁際端部６と壁面７との間に３ｍｍの隙間８を設け、床板材５の上に、本体部１２上部に舌片状の軟質部材１、下部に舌片状の軟質部材１１を備えた本発明の幅木９を壁面７に付設し、幅木９を壁面７と床面１０の境界部に設置した。その際、幅木９の本体部１２を壁面７に接着にて付設し、幅木９上部の軟質部材１が壁面７を押すように当接させ、幅木９下部の軟質部材１１が床面１０の外周を押すように当接させた。
【００２５】
即ち、石膏ボードの反りによって壁面７と幅木９の間に、施工後に隙間２が生じたとしても、軟質部材１が隙間２を覆うように施工した。
比較例１
図２は、従来の実施形態を示す幅木周辺の部分拡大図である。
【００２６】
図２に示すように、壁材には石膏ボードを使用し幅木本体１２が接着する部位を残して、壁紙を接着し貼り付けた物を使用した実施例１と同じ構成の防音二重床に、実施例１と異なり、軟質部材１を上部に有していない幅木１７を実施例１と同様に壁面７に幅木本体１２を接着し付設し、幅木１７を壁面７と床面１０の境界部に設置した。
【００２７】
壁材に用いた石膏ボードの反りおよび段差により、幅木１７と壁面７の間に隙間２が、生じたため、図２に示すように、隙間２を隠すためにシリコーンシーラント１８にて充填せざるを得なかった。
【図面の簡単な説明】
【００２８】
【図１】本発明の実施形態の１例を示す幅木周辺の部分拡大図である。
【図２】従来の実施形態のを示す幅木周辺の部分拡大図である。
【図３】本発明の実施形態の１例を示す床、壁および幅木の位置関係を示した側面図である。
【符号の説明】
【００２９】
１    （幅木上部の）軟質部材
２      幅木と壁面の間の隙間
３      床基板
４      脚部
５      床板材
６    （床板材の）壁際端部
７      壁面
８    （床板材と壁面の間の）隙間
９    （本発明の）幅木
１０    床面
１１  （幅木下部の）軟質部材
１２    幅木本体
１３    木質化粧版
１４    パーティクルボード
１５    脚部
１６    防振ゴム
１７  （従来の）幅木
【図１】
2006083587.tif 000003
【図２】
2006083587.tif 000004
【図３】
2006083587.tif 000005